(57)【要約】【課題】発呼およびメールを着信した時に、発信者情報を表示する機能を持った通信端末において、第３者に着信表示を見られることによる情報漏洩を防止した通信端末を提供する。【解決手段】  秘匿表示を行う条件と、発信者識別用のマーク等を予め記憶部に設定しておく。秘匿表示条件を満たした着信を受けると、記憶部に記憶された秘匿者設定情報又は秘匿設定されたアドレス帳に登録した発信者情報の替わりにマーク等を用いた秘匿表示によって着信を知らせる（図５（ｃ）の画面を参照）。秘匿表示を解除する操作がなされた場合は、通常の着信通知に表示を切り替える（図５（ａ）の画面を参照）。【選択図】  図５
2010183532.tif 000002
【特許請求の範囲】
【請求項１】
図形又は文字を表示する表示手段と、
前記図形又は文字、あるいは指示の入力を行う入力手段と、
通話あるいは電子メールの送受信を行う通信手段と、
発信者の識別情報及び発信者の秘匿表示情報が記憶される記憶手段と、
前記通信手段を介して通話あるいは電子メールを着信した場合で、
且つ予め設定された秘匿表示条件を満たさない場合に、前記記憶手段に記憶された前記
発信者の識別情報を前記表示手段に表示し、
前記秘匿表示条件を満たす場合に、前記記憶手段に記憶された前記発信者の秘匿表示情
報を前記表示手段に表示し、
前記秘匿表示情報が前記表示手段に表示された状態で、前記入力手段から秘匿解除操作
が行われると、前記秘匿表示情報を前記識別情報に切り替えて前記表示手段に表示する制
御部と
を有することを特徴とした通信端末。
【請求項２】
図形又は文字を表示する表示手段と、
前記図形又は文字、あるいは指示の入力を行う入力手段と、
通話あるいは電子メールの送受信を行う通信手段と、
発信者の識別情報及び発信者の秘匿表示情報が記憶される記憶手段と、
第１筐体と、
前記第１筐体を折り畳み可能な様に組み合わせた第２筐体と、
前記第１筐体と前記第２筐体いずれかの外側に設けられる第１の表示手段、および内側
に設けられる第２の表示手段と、
且つ予め設定された秘匿表示条件を満たさない場合に、前記記憶手段に記憶された前記
発信者の識別情報を前記第２の表示手段に表示し、
前記秘匿表示条件を満たす場合に、前記記憶手段に記憶された前記発信者の秘匿表示情
報を前記第２の表示手段に表示し、
前記秘匿表示情報が前記第２の表示手段に表示されている状態で、前記第１筐体と前記
第２筐体とが折り畳まれた状態でないことを検知した場合、前記秘匿表示情報を前記識別
情報に切り替えて前記第２の表示手段に表示する制御部と
を備えたことを特徴とした通信端末。
【請求項３】
図形又は文字を表示する表示手段と、
前記図形又は文字、あるいは指示の入力を行う入力手段と、
通話あるいは電子メールの送受信を行う通信手段と、
発信者の識別情報及び発信者の秘匿表示情報が記憶される記憶手段と、
第１筐体と、
前記第１筐体を折り畳み可能な様に組み合わせた第２筐体と、
前記第１筐体と前記第２筐体いずれかの外側に設けられる第１の表示手段、および内側
に設けられる第２の表示手段と、
前記通信手段を介して通話あるいは電子メールを受信した場合で、
且つ前記第１筐体と第２筐体とが折り畳まれている場合は、前記第２の表示手段に前記
識別情報を表示し、
前記第１筐体と第２筐体とが折り畳まれでいない場合は、前記第２の表示手段に前記秘
匿表示情報を表示し、
前記秘匿表示情報が前記表示手段に表示された状態で、前記入力手段から秘匿解除操作
が行われると、前記秘匿表示情報を前記識別情報に切り替えて前記第２の表示手段に表示
する制御部と
を備えたことを特徴とした通信端末。
【請求項４】
前記秘匿表示条件の１つが、前記通信手段によって他の通信端末からの制御信号を繰り
返し受信している状態で前記制御信号が受信できなくなり、且つ発信者からの通話あるい
は電子メールを着信した場合であることを特徴とした請求項１乃至３のいずれか１項に記
載の通信端末。
【請求項５】
前記秘匿表示条件の１つが、内蔵電池に充電中で、且つ発信者からの通話あるいは電子
メールを着信した場合であることを特徴とした請求項１乃至４のいずれか１項に記載の通
信端末。
【請求項６】
図形又は文字を表示する表示手段と、
前記図形又は文字、あるいは指示の入力を行う入力手段と、
通話あるいは電子メールの送受信を行う通信手段と、
発信者の識別情報及び前記発信者の秘匿情報が記憶される記憶手段と、を有する通信端
末の着信表示秘匿方法であって、
前記通信手段を介して発信した通話あるいは電子メールを着信し、
予め設定された秘匿表示条件を満たさないと判断されると、前記記憶手段に記憶された
前記発信者の識別情報を前記表示手段に表示し、
前記秘匿表示条件を満たすと判断されると、前記記憶手段に記憶された前記発信者の秘
匿表示情報を前記表示手段に表示し、
前記秘匿表示情報が前記表示手段に表示されている間に、前記入力手段から秘匿解除操
作が行われると、前記秘匿表示情報を前記識別情報に切り替えて前記表示手段に表示する
ことを特徴とする通信端末の着信表示秘匿方法。
【請求項７】
図形又は文字を表示する表示手段と、
前記図形又は文字、あるいは指示の入力を行う入力手段と、
通話あるいは電子メールの送受信を行う通信手段と、
発信者の識別情報及び前記発信者の秘匿情報が記憶される記憶手段と、を有する通信端
末の着信表示秘匿プログラムであって、
予め設定された秘匿表示条件を満たさないと判断すると、着信した前記通話あるいは電
子メールの前記発信者の識別情報を前記表示手段に表示し、前記秘匿表示条件を満たすと
判断すると、前記発信者の秘匿表示情報を前記表示手段に表示する第１の表示機能と、
前記秘匿表示情報が前記表示手段に表示されている間に、前記入力手段から秘匿解除操
作が行われると、前記秘匿表示情報を前記識別情報に切り替えて前記表示手段に表示する
第２の表示機能と
を有することを特徴とした通信端末の着信表示秘匿プログラム。
【発明の詳細な説明】
【技術分野】
【０００１】
本発明は通信機能を持ち、特に発呼者あるいはメール送信者の情報を着信時に表示する
機能を持つ通信端末、通信端末の着信表示秘匿方法および通信端末の着信表示秘匿プログ
ラムに関する。
【背景技術】
【０００２】
近年、通信端末の小型化・軽量化および無線通信回線の普及に従って、無線通信機能を
備えた携帯端末の普及が進んでいる。無線通信機能を備えた携帯端末の１つである携帯電
話機は、電話による音声通信機能に加えてデータ通信機能を備えており、電子メール（以
下、単にメールと表記する）の送受信やインターネット上のウェブサイトの閲覧、および
インターネットショッピング等を利用した商品取引など、様々な用途に活用されている。
【０００３】
こうした携帯電話機を用いた通信技術の発達に伴って、個人情報やビジネスに関る情報
を携帯電話機に保存し、持ち歩く機会が増加している。中でも、よく使用する連絡先を予
め携帯電話機に保存しておくアドレス帳機能は、現在使用されている多くの携帯電話機に
備えられた機能である。アドレス帳機能を利用することにより、携帯電話機の使用者は簡
単に連絡先を指定することができる。また、携帯電話機が着呼あるいはメールを着信した
時に、発呼者の電話番号や送信元のメールアドレスを表示する替わりにアドレス帳に登録
した氏名などを表示させる、所謂着信表示機能を利用することができる。これにより、携
帯電話機の使用者は容易に発呼者やメールの送信元が誰であるかを識別することができる
。
【０００４】
また、アドレス帳に登録した特定の連絡先などの情報と所定の画像とを予め関連づけて
設定しておき、当該特定の発信者から着呼あるいはメールを着信した場合に、着信表示に
関連付けられた画像を表示させる。画像を表示させることで、携帯電話機の使用者が発信
者の情報を視覚的・直感的に認識させる技術が公開されている（例えば、特許文献１を参
照）。
【０００５】
こうしたアドレス帳機能の普及に伴って、携帯電話機のディスプレイに表示される着信
表示を、第３者に見られることで起こる情報の漏洩が近年問題となっている。例えば公共
交通機関や学校などの、人が多く集まる場所で携帯電話機を使用し、着信表示が行われた
場合を考える。第３者に着信表示を見られることで、携帯電話機の発信者の情報が漏洩す
る可能性がある。こうした問題を解決するために、携帯電話機に備えられた近距離無線チ
ップの通信状況を監視することで携帯電話機が、例えば公共交通機関内にあるか否かを認
識する。そして、公共交通機関内にある場合は、携帯電話機の着信表示を禁止する技術が
公開されている（例えば、特許文献２を参照）。
【先行技術文献】
【特許文献】
【０００６】
【特許文献１】特開２００２−２７８８９１号公報
【特許文献２】特開２００８−６７１１１号公報
【発明の概要】
【発明が解決しようとする課題】
【０００７】
しかし、特許文献２による技術を用いた秘匿表示は、どの発信者からの発信であっても
一様に着信表示を行わない。そのため、公共交通機関内では発信者を認識することができ
ない。また、公共交通機関内であって情報漏洩の虞が無い場合においても、着信表示を切
り替えることができず利便性を損なっていた。
【０００８】
ところで、発信者に応じて予めマーク等の識別子を登録しておき、登録した発信者から
の着信に対してはマーク等を表示する。こうした動作によって第３者には発信者の情報を
漏洩することなく、かつ携帯電話機の使用者はマークによって発信者を識別できると考え
られる。
【０００９】
本発明は上記問題点を解決するためになされたもので、着信を受けた際に、登録された
発信者からの発信であった場合は登録された発信者の情報を用いた着信表示を行う替わり
に、マーク等によって着信表示を行う通信端末、通信端末の着信表示秘匿方法および通信
端末の着信表示秘匿プログラムを提供することを目的とする。
【課題を解決するための手段】
【００１０】
前記目的を達成するために、本発明の通信端末は、図形又は文字を表示する表示手段と
、前記図形又は文字、あるいは指示の入力を行う入力手段と、無線通信を介して通話ある
いは電子メールの送受信を行う通信手段と、発信者の識別情報及び発信者の秘匿表示情報
が記憶される記憶手段と、前記通信手段を介して通話あるいは電子メールを着信した場合
で、且つ予め設定された秘匿表示条件を満たさない場合に、前記記憶手段に記憶された前
記発信者の識別情報を前記表示手段に表示し、前記秘匿表示条件を満たす場合に、前記記
憶手段に記憶された前記発信者の秘匿表示情報を前記表示手段に表示し、前記秘匿表示情
報が前記表示手段に表示された状態で、前記入力手段から秘匿解除操作が行われると、前
記秘匿表示情報を前記識別情報に切り替えて前記表示手段に表示する制御部とを有するこ
とを特徴とする。
【００１１】
また、本発明の通信端末の着信表示秘匿方法は、図形又は文字を表示する表示手段と、
前記図形又は文字、あるいは指示の入力を行う入力手段と、無線通信を介して通話あるい
は電子メールの送受信を行う通信手段と、発信者の識別情報及び前記発信者の秘匿情報が
記憶される記憶手段と、を有する通信端末の着信表示秘匿方法であって、前記通信手段を
介して発信した通話あるいは電子メールを着信し、予め設定された秘匿表示条件を満たさ
ないと判断されると、前記記憶手段に記憶された前記発信者の識別情報を前記表示手段に
表示し、前記秘匿表示条件を満たすと判断されると、前記記憶手段に記憶された前記発信
者の秘匿表示情報を前記表示手段に表示し、前記秘匿表示情報が前記表示手段に表示され
ている間に、前記入力手段から秘匿解除操作が行われると、前記秘匿表示情報を前記識別
情報に切り替えて前記表示手段に表示することを特徴とする。
【００１２】
また、本発明の通信端末の着信表示秘匿プログラムは、図形又は文字を表示する表示手
段と、前記図形又は文字、あるいは指示の入力を行う入力手段と、無線通信を介して通話
あるいは電子メールの送受信を行う通信手段と、発信者の識別情報及び前記発信者の秘匿
情報が記憶される記憶手段と、を有する通信端末の着信表示秘匿プログラムであって、予
め設定された秘匿表示条件を満たさないと判断すると、着信した前記通話あるいは電子メ
ールの前記発信者の識別情報を前記表示手段に表示し、前記秘匿表示条件を満たすと判断
すると、前記発信者の秘匿表示情報を前記表示手段に表示する第１の表示機能と、前記秘
匿表示情報が前記表示手段に表示されている間に、前記入力手段から秘匿解除操作が行わ
れると、前記秘匿表示情報を前記識別情報に切り替えて前記表示手段に表示する第２の表
示機能とを有することを特徴とする。
【発明の効果】
【００１３】
本発明によれば、通信端末が着信した場合に、登録された発信者からの発信であった場
合は所定のマーク等によって着信表示が行われる。これにより、第３者によって着信表示
を見られた場合であっても情報の漏洩を防止することができる。
【図面の簡単な説明】
【００１４】
【図１】本発明の実施形態に係る携帯端末の一例である折り畳み式携帯電話機の、外観の構成を示す図。
【図２】本発明の実施形態に係る携帯端末の一例である折り畳み式携帯電話機の、他の外観の構成を示す図。
【図３】本実施形態における携帯電話機の内部の構成を示す図。
【図４】本実施形態における発信側携帯電話機と、着信側携帯電話機、およびＢｌｕｅｔｏｏｔｈ通信端末とを結ぶネットワーク接続の概念図。
【図５】各実施形態の受信側携帯電話機の、秘匿表示時におけるメインディスプレイおよびサブディスプレイの画面表示例。
【図６】各実施形態の受信側携帯電話機の、秘匿表示設定時におけるメインディスプレイの画面表示例。
【図７】本発明の第１の実施形態に係る着信時に秘匿表示を行う処理のフローチャート。
【図８】本発明の第２の実施形態に係る着信時に秘匿表示を行い、且つ携帯電話機の開閉状態によって表示を切り替える処理のフローチャート。
【発明を実施するための形態】
【００１５】
以下、本発明の実施の形態について図面を参照して説明する。
【００１６】
（携帯電話機の構成）
図１は、本発明に掛かる通信端末の一例である、折り畳み携帯電話機１の外観の構成を
示す図である。図１（ａ）は、携帯電話機１を約１８０度に開いた開状態を正面から見た
外観の構成を示し、図１（ｂ）は携帯電話機１を開状態にしたときの側面から見た外観の
構成を示している。
【００１７】
図１（ａ）および（ｂ）に示されるように、携帯電話機１は中央のヒンジ部６を介して
第１筐体２と第２筐体３とがヒンジ結合されており、ヒンジ部６を介して矢印Ｘ方向に折
り畳み可能に形成される。携帯電話機１の内部の所定の位置には、送受信用のアンテナ（
後述する図３のアンテナ２１）が設けられており、内蔵されたアンテナを介して後述する
電波基地局８４との間で電波を送受信する。また、携帯電話機１の内部の所定の位置には
、Ｂｌｕｅｔｏｏｔｈ規格を持つ電波信号を送受信する、Ｂｌｕｅｔｏｏｔｈ（登録商標、以下同様）アンテナ（後述する図３のアンテナ３３）が設けられており、後述するＢｌｕｅｔｏｏｔｈ通信端末
７２などとの間で電波を送受信する。
【００１８】
第１筐体２には、その表面に「０」から「９」までの数字キー、発信・着信キー、リダ
イヤルキー、終話・電源キー、クリアキー、および第1のメニューキーなどから構成され
る操作キー４が設けられている。更に、第１筐体２の側面にはマナーモードキー、第２の
メニューキーなどから構成されるサイドキー５が設けられている。使用者は、操作キー４
またはサイドキー５を用いて携帯電話機１へ各種指示やデータを入力する。また、携帯電
話機１の内部の所定の位置には、携帯電話機１に掛かる重力加速度を検出する加速度セン
サ１２が設けられており、例えば携帯電話機１の向きや、携帯電話機１に加えられる振動
などの動きを検出する。なお、説明の簡単のために、以降操作キー４、サイドキー５、お
よび加速度センサ１２を総称して入力手段と呼ぶ。
【００１９】
第１筐体２には、操作キー４の下部にマイクロフォン７が設けられており、マイクロフ
ォン７によって通話時の使用者音声を集音する。
【００２０】
なお、第１筐体２には背面側にバッテリ９が取り付けられており、終話・電源キーが長
押されて携帯電話機１がオン状態になると、バッテリ９は後述する各回路部に対して電源
を供給する。
【００２１】
一方、第２筐体３には、その正面にメインディスプレイ１０が設けられており、携帯電
話機の設定画面やメール、ウェブサイト、あるいは着信時の発信者情報などを表示するこ
とができる。なお、メインディスプレイ１０は、例えばＬＣＤ（Ｌｉｑｕｉｄ  Ｃｒｙｓ
ｔａｌ  Ｄｉｓｐｌａｙ）、有機ＥＬ（Ｅｌｅｃｔｒｏ  Ｌｕｍｉｎｅｓｃｅｎｃｅ）に
よって構成されるディスプレイである。また、メインディスプレイ１０の上部にはレシー
バ８が設けられており、これを用いて使用者は通話相手から送信された音声を聞くことが
できる。
【００２２】
図２は、本発明に係る携帯端末の一例である折り畳み式携帯電話機１が折り畳まれた時
の外観の構成を示す図である。図２（ａ）は、携帯電話機１が閉状態にあるときの正面か
ら見た外観の構成を示し、図２（ｂ）は携帯電話機１が閉状態のときの側面から見た外観
の構成を示している。
【００２３】
第２筐体３の表面には、例えばＬＣＤで構成されるサブディスプレイ１１が設けられて
おり、例えば、携帯電話機１が受信している電波強度レベルを示すアンテナピクト、バッ
テリ９の残量を示す電池ピクト、現在時刻、あるいは着信時の発信者情報などが表示され
る。また、第２筐体３に設けられたサイドキー５は、携帯電話機１が閉状態にあっても操
作可能な位置に設けられている。
【００２４】
図３は、本実施形態における携帯電話機１の内部の構成を示すブロック図である。
【００２５】
後述する電波基地局８４から送信された無線信号は、アンテナ２１で受信された後、ア
ンテナ共用器（ＤＵＰ）２２を介して受信回路（ＲＸ）２３に入力される。受信回路２３
は、受信された無線信号と周波数シンセサイザ（ＳＹＮ）２４から出力された局部発信信
号とをミキシングして中間周波数信号に周波数変換（ダウンコンバート）される。そして
、受信回路２３によってこのダウンコンバートされた中間周波数信号が復調され、受信ベ
ースバンド信号として出力される。
【００２６】
受信回路２３から出力された受信ベースバンド信号は、ＣＤＭＡ（Ｃｏｄｅ  Ｄｉｖｉ
ｓｉｏｎ  Ｍｕｌｔｉｐｌｅ  Ａｃｃｅｓｓ）信号処理部２６に入力される。ＣＤＭＡ信
号処理部２６は、図示せぬＲａｋｅ受信器を備える。このＲａｋｅ受信器では受信ベース
バンド信号に含まれる複数のパスがそれぞれの拡散符号（即ち、拡散された受信信号の拡
散符号と同一の拡散符号）で逆拡散処理される。そして、この逆拡散処理された各パスの
信号は、位相を回転させた後にコヒーレントＲａｋｅ合成される。Ｒａｋｅ合成後のデー
タ系列は、デインターリーブおよびチャネル復号（誤り訂正復号）が行われた後、２値の
データ判定が行われる。これにより、ＣＤＭＡ信号処理部２６によって、所定の伝送フォ
ーマットの受信パケットデータが生成される。この受信パケットデータは、ＣＤＭＡ信号
処理部２６から圧縮／伸張処理部２７へ入力される。ＣＤＭＡ信号処理部２６は、ＤＳＰ
（Ｄｉｇｉｔａｌ  Ｓｉｇｎａｌ  Ｐｒｏｃｃｅｓｓｏｒ）から構成される。
【００２７】
圧縮／伸張処理部２７は、ＣＤＭＡ信号処理部２６から出力された受信パケットデータ
を図示せぬ多重分離部によって、音声信号、データ信号などのメディア毎に分離し、その
分離したメディアに対応してそれぞれ復号処理が行われる。
【００２８】
一方、マイクロフォン７に入力された使用者の音声信号は、送話増幅器３０により適正
レベルまで増幅された後、ＰＣＭコーデック２８によりＰＣＭ符号化される。このＰＣＭ
符号化されたディジタルオーディオ信号は、圧縮／伸張処理部２７に入力される。また、
制御部３１で生成されたメールなどのデータ信号なども、圧縮／伸張処理部２７に入力さ
れる。
【００２９】
圧縮／伸張処理部２７は、ＰＣＭコーデック２８から出力されたディジタルオーディオ
信号あるいは制御部３１から出力されたデータ信号を、所定の送信データレートに応じた
フォーマットで圧縮符号化する。その後、圧縮符号化された信号は、図示せぬ多重分離部
で所定の伝送フォーマットにしたがって多重化された後にパケット化される。パケット化
された後の送信パケットデータはＣＤＭＡ信号処理部２６に出力される。
【００３０】
ＣＤＭＡ信号処理部２６は、圧縮／伸張処理部２７から出力された送信パケットデータ
に、スペクトラム拡散処理を施し拡散信号を生成する。このスペクトラム拡散処理は、送
信チャネルに割り当てられた拡散符号を用いて行われる。ＣＤＭＡ信号処理部２６によっ
て生成された拡散信号は、送信回路（ＴＸ）２５へ出力される。送信回路２５は、拡散信
号をＱＰＳＫ（Ｑｕａｄｒａｔｕｒｅ  Ｐｈａｓｅ  Ｓｈｉｆｔ  Ｋｅｙｉｎｇ）方式な
どのディジタル変調方式を使用し変調する。更に送信回路２５は、拡散信号と周波数シン
セサイザ２４から発生される局部発信信号とを合成し、無線信号に周波数変換（アップコ
ンバート）する。そして送信回路２５は、制御部３１により指示される送信電力レベルを
満たすようにアップコンバートされた無線信号を増幅する。この増幅された無線信号は、
アンテナ共用器２２を介してアンテナ２１へ供給され、このアンテナ２１から後述する電
波基地局８４に向けて無線信号が送信される。
【００３１】
また、携帯電話機１には所定の周期を計算し、この所定周期毎に制御部３１にクロック
信号を供給するクロック信号発生器（タイマ）３９が設けられている。更に、携帯電話機
１に設けられた電源回路３４は、バッテリ９のアナログ電圧出力をアナログ／ディジタル
変換して生成した所定の動作電源電圧Ｖｃｃを上述した各回路部へと供給する。
【００３２】
制御部３１は、ＣＰＵ（Ｃｅｎｔｒａｌ  Ｐｒｏｃｅｓｓｉｎｇ  Ｕｎｉｔ）、ＲＯＭ
（Ｒｅａｄ  Ｏｎｌｙ  Ｍｅｍｏｒｙ）、およびＲＡＭ（Ｒａｎｄｏｍ  Ａｃｃｅｓｓ  
Ｍｅｍｏｒｙ）などの電子回路から構成される。ＣＰＵは、ＲＯＭに記憶されているプロ
グラム、またはＲＡＭにロードされた各種のアプリケーションプログラムに従って処理を
実行する。更にＣＰＵは、上述した各回路部から供給される信号を処理し、また種々の制
御信号を生成し、各回路部へ供給する。これらの処理により、ＣＰＵは携帯電話機１を統
括的に制御する。また、ＲＡＭにはＣＰＵが各種の処理を実行する上で必要なデータが記
憶される。また、制御部３１は図示しないビデオＲＡＭを備えており、メインディスプレ
イ１０に表示される映像に関する情報が記憶される。記憶部３２は、例えば電気的に書き
換えや消去が可能な不揮発性メモリであるフラッシュメモリ素子や、ＨＤＤ（Ｈａｒｄ  
Ｄｉｓｃ  Ｄｒｉｖｅ）などから構成される。記憶部３２には、制御部３１のＣＰＵによ
り実行される種々のアプリケーションプログラムやデータ群が格納されている。また、記
憶部３２には携帯電話機１が連絡先として利用する連絡先を登録する、所謂アドレス帳の
データが保存されている。アドレス帳には例えば、電話番号、メールアドレス、メールグ
ループ、および連絡先と関連付けた連絡先の名称に加えて、連絡先に関連したマーク情報
が保存される。
【００３３】
（ネットワーク構成）
図４は、例えば、発信側の携帯電話機Ａ（７０）と着信側の携帯電話機Ｂ（７１）等を
繋ぐ、ネットワーク接続を示す概念図である。ネットワーク８０は、例えば電波基地局Ａ
（８３），Ｂ（８４）、制御装置８５、データベースサーバ８６、交換装置８７、および
メールサーバ８８から構成される。また、携帯電話機Ｂ（７１）に設けられたＢｌｕｅｔ
ｏｏｔｈアンテナ３３を通じてＢｌｕｅｔｏｏｔｈ電波信号をやりとりする、Ｂｌｕｅｔ
ｏｏｔｈ通信端末７２も必要に応じて用いられる。
【００３４】
電波基地局Ａ（８３），Ｂ（８４）は、ネットワーク間を流れる有線信号を無線信号に
変調し、ネットワーク８０内の携帯電話機へ送信する。また、携帯電話機が送信する無線
信号を有線信号に復調しネットワーク８０内に送信する。
【００３５】
制御装置８５は、ネットワーク８０内にある携帯電話機等の通信端末の存在情報を保持
する。更に、ネットワーク８０に属する携帯電話機が行う発呼指示やメールの発信指示に
応じて、連絡先への回線経路を設計する。
【００３６】
交換装置８７は、ネットワーク８０に属する各携帯電話機の通信端末が送信したメール
などのパケット信号に設定された連絡先のアドレス情報に応じて、信号送信先への回線経
路を設計する。更に、交換装置８７あるいは制御装置８５が設計した回線経路に従って、
ネットワーク間や交換装置間の回線接続を切り替える、所謂回線交換処理を行う。
【００３７】
メールサーバ８８は、ネットワーク８０内にある各携帯電話機へメールが送信された場
合に、送信されたメールを一旦保管する。更に、制御装置８５あるいは各携帯電話機の通
信端末から出力されたメールデータ出力指示に応じてメールデータを出力する。
【００３８】
（通話処理）
次に、携帯電話機Ａ（７０）が携帯電話機Ｂ（７１）に対し通話発信し、通話を行う場
合の処理について述べる。ここでは、携帯電話機（７０）に対しては電波基地局Ａ（８３
）が無線信号を提供し、携帯電話機Ｂ（７１）に対しては無線基地局Ｂ（８４）が無線信
号を提供するものとする。
【００３９】
まず、発信側の携帯電話機Ａ（７０）が携帯電話機Ｂ（７１）に向けて発信要求を行う
。発信要求は、携帯電話機Ａ（７０）に無線信号を提供する電波基地局Ａ（８３）に向け
て送信される。電波基地局Ａ（８３）は発信要求を受信すると、受信信号の復調を行い、
復調した発信要求を制御装置８５へと送信する。制御装置８５は発信要求を受信すると、
発信要求に含まれる連絡先のアドレス情報から、連絡先が携帯電話機Ｂ（７１）であるこ
とを確認する。制御装置８５は連絡先の確認を行うと、携帯電話機Ｂ（７１）に対して無
線信号を送受信可能な電波基地局Ｂ（８４）の場所を検索する。電波基地局Ｂ（８４）の
場所が確認されると、制御装置８５は電波基地局Ａ（８３），Ｂ（８４）間を繋ぐ回線経
路を設計する。通常回線経路の設計は、回線ごとに通信コストを予め設定しておき、回線
経路に掛かる通信コストの合計が最も少なくなる経路を選択するプロトコルである、ＯＳ
ＰＦ（Ｏｐｅｎ  Ｓｈｏｒｔｅｓｔ  Ｐａｓｓ  Ｆａｓｔ）が用いられる。制御装置８５
は、設計した回線経路を通じて通信が行えるように交換装置８７を駆動し、回線を導通さ
せる。制御装置８５は、回線が導通する旨を発信元である携帯電話機Ａ（７０）および連
絡先である携帯電話機Ｂ（７１）へ通知する。これにより、携帯電話機Ａ（７０）、携帯
電話機Ｂ（７１）間の通話が開始される。
【００４０】
（メール送受信処理）
次に、携帯電話機Ａ（７０）が携帯電話機Ｂ（７１）に対してメールなどのパケットデ
ータを送信する場合の処理について述べる。
【００４１】
まず、携帯電話機Ａ（７０）が携帯電話機Ｂ（７１）を連絡先に指定したメールの送信
指示を行う。携帯電話機Ａ（７０）はメールを無線パケットデータに変換し、無線パケッ
トデータを電波基地局Ａ（８３）に向け送信する。電波基地局Ａ（８３）は無線パケット
データを受信すると、受信信号の復調を行い、復調した有線パケットデータ（以下、単に
メールと記す）を制御装置８５へと送信する。メールを受信した制御装置８５は、メール
の連絡先を参照し、宛先が携帯電話機Ｂ（７１）であることを確認する。制御装置８５は
携帯電話機Ｂ（７１）のアドレスを認識すると、携帯電話機Ｂ（７１）に対してメールサ
ービスを提供するメールサーバ８８のアドレスの確認を行う。制御装置８５は、メールサ
ーバ８８のアドレス確認が行われると、制御装置８５とメールサーバ８８とを繋ぐ回線経
路を設計する。回線経路の設計は、通常先述したＯＳＰＦプロトコルが用いられる。
【００４２】
回線経路が設計されると、制御装置８５は交換装置８７へメールを送信する。交換装置
８７は設計された回線経路にしたがって回線交換処理を行い、メールをメールサーバ８８
へ送信する。メールサーバ８８は受信したメールを、自身の保持する情報記録媒体内に保
存する。次に、携帯電話機Ｂ（７１）がメールの受信指示を制御装置８５に対し送信する
。制御装置８５はメールサーバ８８へメール受信指示を転送する。メールサーバ８８はメ
ール受信指示に応じて保存したメールを読み出し、携帯電話機Ｂ（７１）に対して無線通
信回線を提供する電波基地局Ｂ（８４）へ読み出したメールを送信する。電波基地局Ｂ（
８４）がメールを携帯電話機Ｂ（７１）へ送信し、携帯電話機Ｂ（７１）がこれを受信す
ることで、メールの送受信が行われる。
【００４３】
（秘匿表示の設定）
次に、携帯電話機Ｂ（７１）が通話やメールを着信した場合に、発信者の情報を秘匿す
る動作について考察を行う。公共交通機関の中や屋外などで携帯電話機Ｂ（７１）が着信
し着信表示を行うと、第３者によって着信表示を見られることで、情報が漏洩する事態が
予想される。
【００４４】
これに対処するために本発明においては、携帯電話機Ｂ（７１）が特定の条件下にある
ときに発信者の情報を表示せず、替わりに予め設定したマーク等によって着信表示を行う
。
【００４５】
図５は、着信通知を行う際のメインディスプレイ１０における画面表示例を示している
。例えば、通常「山田さん」としてアドレス帳に登録された発信者からの発信を受けると
、図５（ａ）に示すようにメインディスプレイ１０、サブディスプレイ１１に発信者の名
前などの情報を表示する。ここで、携帯電話機Ｂ（７１）が秘匿表示を行う条件下にある
ときは、図５（ｂ）あるいは図５（ｃ）に示すように、発信者などの情報を特定のマーク
に置き換えて表示する。また、秘匿表示を解除する動作が入力された場合は、図５（ａ）
の着信表示に表示を切り替える。これにより、発信者などの情報が第３者に漏洩する事態
を防ぐことができ、且つ替わりに表示されるマークによって発信者を認識することができ
る。更に、携帯電話機Ｂ（７１）が情報漏洩の虞の無い場所に移動した時に秘匿表示を解
除し、発信先の情報を認識することができる。
【００４６】
図６は、秘匿表示の設定を行う際のメインディスプレイ１０における画面表示例を示し
ている。以下に、秘匿表示設定の手順の例について述べる。
【００４７】
まず、入力手段によって携帯電話機Ｂ（７１）の動作設定画面から、「秘匿表示設定」
が選択される（図６（ａ）を参照）。入力手段によって「秘匿表示設定」が選択されると
、秘匿表示設定画面が表示される（図６（ｂ）を参照）。秘匿表示設定画面には、例えば
「秘匿者設定」、「秘匿表示条件設定」、あるいは「解除操作設定」の項目が表示される
。
【００４８】
そして、入力手段によって「秘匿者設定」が選択されると、秘匿者設定画面が表示され
る（図６（ｃ）を参照）。入力手段によって、記憶部３２のアドレス帳から秘匿表示を行
う対象となる発信者が選択される。また、発信者に対応したマーク等の選択が行われる。
【００４９】
選択された宛先の電話番号および又はメールアドレスと秘匿表示マークは対応させて、秘
匿者設定情報として記憶部３２に記憶される。ここでは、秘匿者設定情報を記憶部３２に
記憶するとしたが、記憶部３２のアドレス帳情報の登録情報の一つとして秘匿表示マーク
を設定するようにしても良い。
【００５０】
次に、入力手段によって「秘匿表示条件設定」が選択されると、秘匿表示条件設定画面
が表示される（図６（ｄ）を参照）。入力手段によって着信表示を秘匿表示に切り替える
条件の設定が行われる。設定された秘匿表示条件情報は、秘匿者設定情報と共に記憶部３
２に記憶される。
【００５１】
秘匿表示条件として、例えば以下のものが挙げられる。
１つ目の条件は、９：００から２１：００の間は秘匿表示を行うなどの、時間の情報を
用いた条件である。携帯電話機Ｂ（７１）の使用者が外出する時間帯に合わせて秘匿表示
条件を設定することで、携帯電話機Ｂ（７１）が自宅に無いときの情報の漏洩を防止する
ことができる。
【００５２】
２つ目の条件は、充電中であるときは秘匿表示を行うなどの、電源接続の状態を用いた
条件である。携帯電話機Ｂ（７１）が充電中にあるときは、使用者が携帯電話機Ｂ（７１
）の近くにいない場合が考えられる。こうした場合に秘匿表示を行うことで、情報の漏洩
を防止することができる。
【００５３】
３つ目の条件は、携帯電話機Ｂ（７１）と関連付けたＢｌｕｅｔｏｏｔｈ通信端末７２
を用いた条件である。予め、携帯電話機Ｂ（７１）の使用者はＢｌｕｅｔｏｏｔｈ通信端
末７２を身に着けておく。携帯電話機Ｂ（７１）とＢｌｕｅｔｏｏｔｈ通信端末７２とが
、所定の時間間隔毎にＢｌｕｅｔｏｏｔｈ電波信号を送受信する。Ｂｌｕｅｔｏｏｔｈ無
線信号は微弱な電波信号であるため、両者の距離が一定以上になると携帯電話機Ｂ（７１
）はＢｌｕｅｔｏｏｔｈ無線信号を受信することができない。Ｂｌｕｅｔｏｏｔｈ無線信
号による通信が出来なかった場合、携帯電話機Ｂ（７１）の使用者は携帯電話機Ｂ（７１
）の近くにいないものと考え、携帯電話機Ｂ（７１）は着信表示を秘匿表示に切り替える
。
【００５４】
４つ目の条件は、記憶部３２のアドレス帳に登録された特定の発信者、あるいは特定の
メールグループに属している発信者から着信した場合に、携帯電話機Ｂ（７１）は着信表
示を秘匿表示に切り替える。これにより、特に知られたくない発信者の情報が漏洩する事
態を防ぐことができる。
【００５５】
その他にも、入力手段によって特定の操作が行われた場合に秘匿表示に切り替える条件
や、携帯電話機Ｂ（７１）が閉状態にあるとき秘匿表示に切り替える条件などが考えられ
る。
【００５６】
これらの条件は、設定した条件を全て満たした場合に秘匿表示を行うものとしてもよい
し、設定した条件のうちいずれかを満たした場合に秘匿表示を行うものとしてもよい。あ
るいは、設定した条件を任意に組み合わせて、秘匿表示を行う条件を新たに作成してもよ
い。
【００５７】
また、入力手段によって「解除操作設定」が選択されると、解除動作設定画面が表示さ
れる（図６（ｅ）を参照）。そして、入力手段によって秘匿表示された発信者情報を通常
の着信表示に切り替える動作の設定が行われる。解除操作の設定に応じて秘匿表示条件情
報の一部又は全部が記憶部３２から追加され、あるいは削除される。又は、アドレス帳の
設定された秘匿表示マークが追加され、あるいは削除される。
【００５８】
解除動作として、例えば以下のものが挙げられる。
１つ目の解除は、携帯電話機Ｂ（７１）が閉状態で着信した場合に、閉状態でなくなっ
たことを検知した際に秘匿表示を解除する動作である。この動作においては、図５（ｂ）
に示すようにサブディスプレイ１１の表示は秘匿表示を維持し、メインディスプレイ１０
のみを通常の着信表示としてもよい。情報漏洩の虞のある場所では携帯電話機Ｂ（７１）
を閉状態にしておき、安全に着信表示を閲覧できる場所で携帯電話機Ｂ（７１）を開状態
に移行することで、発信者の情報を確認することができる。また、閉状態でなくなったこ
とを契機に通常の着信表示を行うため、第３者にメインディスプレイ１０を視認されるこ
とがない様に、僅かに携帯電話機Ｂ（７１）を開き、携帯電話機Ｂ（７１）の使用者がメ
インディスプレイ１０を覗くことによっても、発信者の情報を安全に確認することができ
る。
【００５９】
２つ目の解除は、入力手段によって特定の操作が行われた場合に、秘匿表示を解除する
動作である。３つ目の解除は、入力手段のうち、加速度センサを用いた操作（例えば、携
帯電話機Ｂ（７１）を振る動作）が行われた場合に、秘匿表示を解除する動作である。
【００６０】
（第１の実施形態）
第１の実施形態は、携帯電話機Ｂ（７１）が通話又はメールを着信した場合に、予め設
定された秘匿表示条件に従って通常の着信表示を行うか、あるいは秘匿表示を行うかを切
り替える処理を示している。この処理により、（秘匿表示の設定）の項で述べた設定に従
って着信表示の秘匿を行い、情報の漏洩を防止する。以下に、図７に示す動作フローを用
いて処理の手順を述べる。
【００６１】
まず、待ち受け状態にある携帯電話機Ｂ（７１）が通話又はメールを着信する（ステッ
プ１０１のＹｅｓ）。携帯電話機Ｂ（７１）の制御装置３１は、記憶部３２に記憶される
秘匿表示条件情報から秘匿表示を行う条件を満たしているか否かを判断する。制御装置３
１は、この条件を満たさない場合（ステップ１０２のＮｏ）には通常の着信表示を行い（
ステップ１０３、図５（ａ）又は（ｆ）の画面を参照）、処理を終了する（ステップ１１
２）。
【００６２】
秘匿表示を行う条件を満たしている場合は、制御装置３１は受信した電話番号又はメー
ルアドレスから発信者が記憶部３２の秘匿者設定情報又は秘匿設定されたアドレス帳に登
録されているか否かを判断する（ステップ１０４）。発信者が秘匿者設定情報又は秘匿設
定されたアドレス帳に登録されていない場合は（ステップ１０４のＮｏ）、制御部３１は
マークおよび発信者情報を用いない代表的な秘匿表示、例えば「着信」などの文字情報の
表示を行う（ステップ１０９、図５（ｄ）の画面を参照）。
【００６３】
一方、受信した電話番号又はメールアドレスから発信者が記憶部３２の秘匿者設定情報
又は秘匿設定されたアドレス帳に登録されている場合は（ステップ１０４のＹｅｓ）、制
御装置３１は更に秘匿表示マークを参照し、発信者に秘匿表示のマーク等が登録されてい
るか否かを判断する（ステップ１０５）。秘匿表示のマーク等が登録されていない場合は
（ステップ１０５のＮｏ）、制御部３１はマーク等および発信者情報を用いない代表的な
秘匿表示を行う（ステップ１０９、図５（ｄ）の画面を参照）。これに対し、秘匿表示の
マーク等が登録されている場合は（ステップ１０５のＹｅｓ）、制御部３１は登録された
マーク等を用いて秘匿表示を行う（ステップ１０６，図５（ｃ）の画面を参照）。
【００６４】
秘匿表示が行われている間に、入力手段による秘匿解除操作が行われると（ステップ１
０７のＹｅｓ）、制御部３１はアドレス帳に登録された番号情報を用いた着信表示に画面
表示を切り替える（ステップ１０８）。この場合の着信表示は、メインディスプレイ１０
、サブディスプレイ１１の両方に通常の着信表示を行う場合（図５（ａ）の画面を参照）
や、サブディスプレイ１１は秘匿表示を維持するが、メインディスプレイ１０のみを通常
の着信表示としても良い（図５（ｂ）の画面を参照）。そして、入力手段による着信に対
する応答操作が行われるか、あるいは着信が終了すると、制御部３１は処理を終了する（
ステップ１１２）。
【００６５】
制御部３１によってマーク等および発信者情報を用いない代表的な秘匿表示が行われた
場合に（ステップ１０９）、入力手段による秘匿解除操作が行われると（ステップ１１０
のＹｅｓ）、制御部３１は発信者の番号情報などを用いて着信表示を行う（ステップ１１
１、図５（ｅ）又は（ｆ）の画面を参照）。そして、入力手段による着信に対する応答操
作が行われるか、あるいは着信が終了すると、制御部３１は処理を終了する（ステップ１
１２）。
【００６６】
以上の処理によれば、秘匿表示を行う条件を満たしている状態でメール又は通話着信を
受けると、発信者の電話番号又はメールアドレスが記憶部３２に記憶された秘匿者設定情
報又は秘匿設定されたアドレス帳に登録されており、且つ秘匿表示のためのマーク等が登
録されていた場合は、これを用いて秘匿表示を行うことができる。これにより、第３者に
よって着信表示を見られた場合にも、アドレス帳に登録された情報を漏洩する心配がない
。また、マーク等の表示によって、発信者が誰であるかを認識することができる。
【００６７】
（第２の実施形態）
第２の実施形態は、携帯電話機Ｂ（７１）が通話又はメールを着信した場合に、予め設
定された秘匿表示条件に従って通常の着信表示を行うか、あるいは秘匿表示を行うか否か
を切り替えるものであって、更に、着信時の携帯電話機Ｂ（７１）が折り畳まれた閉状態
にあるか開状態にあるかによって、メインディスプレイ１０の秘匿表示を切り替える実施
例である。この処理により、閉状態で着信した携帯電話機Ｂ（７１）を開くことで、携帯
電話機Ｂ（７１）の使用者が発信者情報を認識することができる。以下に、図８に示す動
作フローを用いて処理の手順を述べる。
【００６８】
まず、待ち受け状態にある携帯電話機Ｂ（７１）が通話又はメールを着信する（ステッ
プ２０１のＹｅｓ）。携帯電話機Ｂ（７１）の制御装置３１は、記憶部３２に記憶される
秘匿表示条件情報から秘匿表示を行う条件を満たしているか否かを判断する。制御装置３
１は、この条件を満たさない場合（ステップ２０２のＮｏ）には通常の着信表示を行い（
ステップ２０３、図５（ａ）又は（ｆ）の画面を参照）、処理を終了する（ステップ２１
６）。
【００６９】
秘匿表示を行う条件を満たしている場合は、制御装置３１は受信した電話番号又はメー
ルアドレス発信者が記憶部３２の秘匿者設定情報又は秘匿設定されたアドレス帳に登録さ
れているか否かを判断する（ステップ２０４）。更に、制御部３１は秘匿表示設定を参照
し、発信者に秘匿表示のマーク等が登録されているか否かを判断する（ステップ２０５）
。
【００７０】
発信者がアドレス帳に登録されていない場合（ステップ２０４のＮｏ）、あるいは発信
者にマーク等が登録されていない場合（ステップ２０５のＮｏ）、制御装置３１は携帯電
話機Ｂ（７１）が閉状態にあるか否かを判断する（ステップ２１１）。携帯電話機Ｂ（７
１）が閉状態である場合は（ステップ２１１のＹｅｓ）、制御部３１はメインディスプレ
イ１０に番号情報等を用いた着信表示を行い、サブディスプレイ１１に秘匿表示を行う（
ステップ２１２、図５（ｅ）の画面を参照）。
【００７１】
一方、携帯電話機Ｂ（７１）が開状態である場合は（ステップ２１１のＮｏ）、制御部
３１はメインディスプレイ１０とサブディスプレイ１１の両方に代表的な秘匿表示を行う
（ステップ２１３、図５（ｄ）の画面を参照）。秘匿表示が行われている間に入力手段に
よる秘匿解除操作が行われると（ステップ２１４のＹｅｓ）、制御部３１は番号情報など
を用いた着信表示に表示を切り替える（ステップ２１５）。この場合の着信表示は、メイ
ンディスプレイ１０、サブディスプレイ１１の両方に通常の着信表示を行う場合（図５（
ｆ）の画面を参照）や、サブディスプレイ１１を秘匿表示しメインディスプレイ１０を通
常の着信表示とする場合（図５（ｅ）の画面を参照）がある。そして、入力手段による着
信に対する応答操作が行われるか、あるいは着信が終了すると、制御部３１は処理を終了
する（ステップ２１６）。
【００７２】
これに対し、受信した電話番号又はメールアドレスが記憶部３２の秘匿者設定情報又は
秘匿設定されたアドレス帳に登録されており（ステップ２０４のＹｅｓ）、且つ発信者に
マーク等が登録されている場合（ステップ２０５のＹｅｓ）、制御装置３１は携帯電話機
Ｂ（７１）が閉状態にあるか否かを判断する（ステップ２０６）。携帯電話機Ｂ（７１）
が閉状態である場合は（ステップ２０６のＹｅｓ）、制御部３１はメインディスプレイ１
０にアドレス帳の情報を用いた着信表示を行い、サブディスプレイ１１にマーク等を用い
た秘匿表示を行う（ステップ２０７、図５（ｂ）の画面を参照）。
【００７３】
一方、携帯電話機Ｂ（７１）が開状態である場合は（ステップ２０６のＮｏ）、制御部
３１はメインディスプレイ１０とサブディスプレイ１１の両方にマーク等を用いた秘匿表
示を行う（ステップ２０８、図５（ｃ）の画面を参照）。
【００７４】
秘匿表示が行われている間に、入力手段による秘匿解除操作が行われると（ステップ２
０９のＹｅｓ）、制御部３１はアドレス帳の番号情報を用いた着信表示に表示を切り替え
る（ステップ２１０）。この場合の着信表示は、メインディスプレイ１０、サブディスプ
レイ１１の両方に通常の着信表示を行う場合（図５（ａ）の画面を参照）や、サブディス
プレイ１１の秘匿表示を維持しメインディスプレイ１０を通常の着信表示とする場合（図
５（ｂ）の画面を参照）がある。そして、入力手段による着信に対する応答操作が行われ
るか、あるいは着信が終了すると、制御部３１は処理を終了する（ステップ２１６）。
【００７５】
以上の処理によれば、秘匿表示を行う条件を満たしている状態でメール又は通話着信を
受けると、発信者の電話番号又はメールアドレスが記憶部３２に記憶された秘匿者設定情
報又は秘匿設定されたアドレス帳に登録されており、且つ秘匿表示のためのマーク等が登
録されていた場合は、これを用いて秘匿表示を行うことができる。更に、携帯電話機Ｂ（
７１）が閉状態にあるか否かによってメインディスプレイ１０の表示を切り替える。これ
により、第３者によって着信表示を見られた場合にも発信者の情報を漏洩する心配がない
。また、携帯電話機Ｂ（７１）のメインディスプレイ１０を第３者によって見られる心配
のない場所で、携帯電話機Ｂ（７１）を開くことによって、容易に発信者の情報を確認す
ることができる。
【００７６】
なお、ここに述べた実施の形態において、携帯電話機を挙げて説明を行った。しかし、
本発明の範囲はこれに限定されるものではなく、例えばＰＤＡ（Ｐｅｒｓｏｎａｌ  Ｄｉ
ｇｉｔａｌ  Ａｓｓｉｓｔａｎｔ）や有線端末、小型情報処理機器などにも適用できる。
【００７７】
また、実施の形態において折り畳み携帯電話機を例にとって説明したが、スライド式携帯
端末や、可動機構を持たないバータイプの携帯端末にも適用できる。スライド式携帯端末
の場合、第１の実施形態および第２の実施形態で述べた携帯電話機Ｂ（７１）の開閉動作
を、スライド動作に置き換えることで同様の発明の効果が得られる。
【００７８】
本発明は、上記実施形態に限定されるものではなく、発明の要旨を逸脱しない範囲であ
れば、構成要素を変形して具体化しても良い。また、上記各実施形態に開示されている複
数の構成要素の適宣な組み合わせにより、種々の発明を形成しても良い。例えば、各実施
形態に示される全構成要素から幾つかの構成要素を削除してもよい。
【符号の説明】
【００７９】
１  携帯電話機
２  第１筐体
３  第２筐体
４  操作キー
５  サイドキー
７  マイクロフォン
８  レシーバ
９  バッテリ
１０  メインディスプレイ
１１  サブディスプレイ
２１  アンテナ
２２  アンテナ共用器
２３  受信回路
２５  送信回路
２６  ＣＤＭＡ信号処理部
３１  制御部
３２  記憶部
３３  Ｂｌｕｅｔｏｏｔｈアンテナ
７０  送信側携帯電話機
７１  受信側携帯電話機
７２  Ｂｌｕｅｔｏｏｔｈ通信端末
８０  ネットワークＡ
８３  電波基地局Ａ
８４  電波基地局Ｂ
８５  制御装置
８７  交換装置
８８  メールサーバ
【図１】
2010183532.tif 000003
【図２】
2010183532.tif 000004
【図３】
2010183532.tif 000005
【図４】
2010183532.tif 000006
【図５】
2010183532.tif 000007
【図６】
2010183532.tif 000008
【図７】
2010183532.tif 000009
【図８】
2010183532.tif 000010